【手続補正書】
【提出日】平成18年11月8日(2006.11.8)
【手続補正１】
【補正対象書類名】明細書
【補正対象項目名】発明の名称
【補正方法】変更
【補正の内容】
【発明の名称】ＥＬ表示装置、およびＥＬ表示装置の駆動方法
【手続補正２】
【補正対象書類名】明細書
【補正対象項目名】特許請求の範囲
【補正方法】変更
【補正の内容】
【特許請求の範囲】
【請求項１】  ＥＬ素子を有する画素が基板上にマトリックス状に配置された画素表示領域を有するＥＬ表示装置であって、
前記基板上に配置され、前記画素にプログラム電流またはプログラム電圧を出力するソースドライバ回路と、
前記基板と前記ソースドライバ回路間に配置または形成された、カソード電圧を供給するカソード供給線またはアノード電圧を供給するアノード供給線と、
前記カソード供給線から分岐され前記画素に延びるカソード配線、または前記アノード供給線から分岐され前記画素に延びるアノード配線を具備することを特徴とするＥＬ表示装置。
【請求項２】  ＥＬ素子を有する画素が基板上にマトリックス状に配置された画素表示領域を有するＥＬ表示装置であって、
前記基板上に配置され、前記画素にプログラム電流またはプログラム電圧を出力するソースドライバ回路と、
前記基板と前記ソースドライバ回路間に配置または形成されたアノード電圧を供給するアノード供給線と、
前記ソースドライバ回路と前記画素表示領域の間に配置または形成されたアノード共通線と、
前記アノード供給線と前記アノード共通線とを接続する少なくとも一つのアノード接続線を具備し、
アノード配線が前記アノード共通線から分岐され、前記画素に延びることを特徴とするＥＬ表示装置。
【請求項３】  ソースドライバ回路の出力端にソース信号線が接続され、
表示領域において、前記ソース信号線とアノード配線が平行に配置され、
アノード共通線と前記ソース信号線が絶縁膜を介して交差していることを特徴とする請求項１または請求項２記載のＥＬ表示装置。
【請求項４】  ソースドライバ回路はＩＣチップであり、
基板にチップオンガラス（ＣＯＧ）技術で実装されていることを特徴とする請求項１または請求項２記載のＥＬ表示装置。
【請求項５】  ＥＬ素子を有する画素が基板上にマトリックス状に配置された画素表示領域を有するＥＬ表示装置であって、
前記基板上に配置され、前記画素にプログラム電流を出力するソースドライバＩＣと、
前記基板と前記ソースドライバＩＣ間に配置または形成されたアノード電圧を供給するアノード供給線と、
前記ソースドライバＩＣと前記画素表示領域の間に配置または形成されたアノード共通線と、
前記アノード供給線と前記アノード共通線とを接続する少なくとも一つのアノード接続線を具備し、
前記画素のＥＬ素子に電流を供給するトランジスタはＰチャンネルトランジスタであり、
前記ソースドライバＩＣのプログラム電流を発生するトランジスタはＮチャンネルトランジスタであり、
アノード配線が前記アノード共通線から分岐され、前記画素に延びることを特徴とするＥＬ表示装置。
【請求項６】  ＥＬ素子を有する画素が基板上にマトリックス状に配置された画素表示領域を有するＥＬ表示装置であって、
基板上に配置され、前記画素にプログラム電流を出力するソースドライバＩＣと、
前記画素を選択するゲートドライバ回路と、
前記基板と前記ソースドライバＩＣ間に配置または形成されたアノード電圧を供給するアノード供給線と、
前記ソースドライバＩＣと前記画素表示領域の間に配置または形成されたアノード共通線と、
前記アノード供給線と前記アノード共通線とを接続する少なくとも一つのアノード接続線を具備し、
前記画素のＥＬ素子に電流を供給するトランジスタはＰチャンネルトランジスタであり、
前記ソースドライバＩＣのプログラム電流を発生するトランジスタはＮチャンネルトランジスタであり、
アノード配線が前記アノード共通線から分岐され、前記画素に延びることを特徴とするＥＬ表示装置。
【請求項７】  ソースドライバＩＣは、ソース信号線の電荷を強制的に放出または充電するプリチャージあるいはディスチャージ回路を内蔵することを特徴とする請求項５または請求項６記載のＥＬ表示装置。
【請求項８】  ソースドライバＩＣは、ゲートドライバ回路に印加する入力信号をレベルシフトするレベルシフト回路を具備していることを特徴とする請求項６記載のＥＬ表示装置。
【請求項９】  ＥＬ素子がマトリックス状に形成された表示領域と、前記ＥＬ素子に流す電流を供給する駆動用トランジスタと、前記駆動用トランジスタ素子にプログラム電圧またはプログラム電流を印加するソースドライバ回路と、前記ソースドライバ回路と前記駆動用トランジスタの信号経路に配置された第１のスイッチング素子と、前記ＥＬ素子の電流経路に配置された第２のスイッチング素子を具備し、
前記第１のスイッチング素子は所定期間に一回クローズ状態にされ、前記第２のスイッチング素子は、前記所定期間に複数回クローズ状態にされることを特徴とするＥＬ表示装置の駆動方法。
【請求項１０】  ＥＬ素子がマトリックス状に形成された表示領域と、前記ＥＬ素子に流す電流を供給する駆動用トランジスタと、前記駆動用トランジスタ素子にプログラム電圧またはプログラム電流を印加するソースドライバ回路と、前記ソースドライバ回路と前記駆動用トランジスタの信号経路に配置された第１のスイッチング素子と、前記ＥＬ素子の電流経路に配置された第２のスイッチング素子を具備し、
前記第１のスイッチング素子は所定期間に一回クローズ状態にされ、前記第２のスイッチング素子は、前記所定期間に２水平走査期間以上連続してオープン状態にされることを特徴とするＥＬ表示装置の駆動方法。
【手続補正３】
【補正対象書類名】明細書
【補正対象項目名】０００５
【補正方法】変更
【補正の内容】
【０００５】
【課題を解決するための手段】
上記課題を解決するための第１の本発明（請求項１に対応）は、ＥＬ素子を有する画素が基板上にマトリックス状に配置された画素表示領域を有するＥＬ表示装置であって、
前記基板上に配置され、前記画素にプログラム電流またはプログラム電圧を出力するソースドライバ回路と、
前記基板と前記ソースドライバ回路間に配置または形成された、カソード電圧を供給するカソード供給線またはアノード電圧を供給するアノード供給線と、
前記カソード供給線から分岐され前記画素に延びるカソード配線、または前記アノード供給線から分岐され前記画素に延びるアノード配線を具備することを特徴とするＥＬ表示装置である。
【手続補正４】
【補正対象書類名】明細書
【補正対象項目名】０００６
【補正方法】変更
【補正の内容】
【０００６】
第２の本発明（請求項２に対応）は、ＥＬ素子を有する画素が基板上にマトリックス状に配置された画素表示領域を有するＥＬ表示装置であって、
前記基板上に配置され、前記画素にプログラム電流またはプログラム電圧を出力するソースドライバ回路と、
前記基板と前記ソースドライバ回路間に配置または形成されたアノード電圧を供給するアノード供給線と、
前記ソースドライバ回路と前記画素表示領域の間に配置または形成されたアノード共通線と、
前記アノード供給線と前記アノード共通線とを接続する少なくとも一つのアノード接続線を具備し、
アノード配線が前記アノード共通線から分岐され、前記画素に延びることを特徴とするＥＬ表示装置である。
【手続補正５】
【補正対象書類名】明細書
【補正対象項目名】０００７
【補正方法】変更
【補正の内容】
【０００７】
第３の本発明（請求項３に対応）は、ソースドライバ回路の出力端にソース信号線が接続され、
表示領域において、前記ソース信号線とアノード配線が平行に配置され、
アノード共通線と前記ソース信号線が絶縁膜を介して交差していることを特徴とする第１または第２の本発明のＥＬ表示装置である。
【手続補正６】
【補正対象書類名】明細書
【補正対象項目名】０００８
【補正方法】変更
【補正の内容】
【０００８】
第４の本発明（請求項４に対応）は、ソースドライバ回路はＩＣチップであり、
基板にチップオンガラス（ＣＯＧ）技術で実装されていることを特徴とする第１または第２の本発明のＥＬ表示装置である。
【手続補正７】
【補正対象書類名】明細書
【補正対象項目名】０００９
【補正方法】変更
【補正の内容】
【０００９】
第５の本発明（請求項５に対応）は、ＥＬ素子を有する画素が基板上にマトリックス状に配置された画素表示領域を有するＥＬ表示装置であって、
前記基板上に配置され、前記画素にプログラム電流を出力するソースドライバＩＣと、
前記基板と前記ソースドライバＩＣ間に配置または形成されたアノード電圧を供給するアノード供給線と、
前記ソースドライバＩＣと前記画素表示領域の間に配置または形成されたアノード共通線と、
前記アノード供給線と前記アノード共通線とを接続する少なくとも一つのアノード接続線を具備し、
前記画素のＥＬ素子に電流を供給するトランジスタはＰチャンネルトランジスタであり、
前記ソースドライバＩＣのプログラム電流を発生するトランジスタはＮチャンネルトランジスタであり、
アノード配線が前記アノード共通線から分岐され、前記画素に延びることを特徴とするＥＬ表示装置である。
【手続補正８】
【補正対象書類名】明細書
【補正対象項目名】００１０
【補正方法】変更
【補正の内容】
【００１０】
第６の本発明（請求項６に対応）は、ＥＬ素子を有する画素が基板上にマトリックス状に配置された画素表示領域を有するＥＬ表示装置であって、
基板上に配置され、前記画素にプログラム電流を出力するソースドライバＩＣと、
前記画素を選択するゲートドライバ回路と、
前記基板と前記ソースドライバＩＣ間に配置または形成されたアノード電圧を供給するアノード供給線と、
前記ソースドライバＩＣと前記画素表示領域の間に配置または形成されたアノード共通線と、
前記アノード供給線と前記アノード共通線とを接続する少なくとも一つのアノード接続線を具備し、
前記画素のＥＬ素子に電流を供給するトランジスタはＰチャンネルトランジスタであり、
前記ソースドライバＩＣのプログラム電流を発生するトランジスタはＮチャンネルトランジスタであり、
アノード配線が前記アノード共通線から分岐され、前記画素に延びることを特徴とするＥＬ表示装置である。
【手続補正９】
【補正対象書類名】明細書
【補正対象項目名】００１１
【補正方法】変更
【補正の内容】
【００１１】
第７の本発明（請求項７に対応）は、ソースドライバＩＣは、ソース信号線の電荷を強制的に放出または充電するプリチャージあるいはディスチャージ回路を内蔵することを特徴とする第５または第６の本発明のＥＬ表示装置である。
【手続補正１０】
【補正対象書類名】明細書
【補正対象項目名】００１２
【補正方法】変更
【補正の内容】
【００１２】
第８の本発明（請求項８に対応）は、ソースドライバＩＣは、ゲートドライバ回路に印加する入力信号をレベルシフトするレベルシフト回路を具備していることを特徴とする第６の本発明のＥＬ表示装置である。
【手続補正１１】
【補正対象書類名】明細書
【補正対象項目名】００１３
【補正方法】変更
【補正の内容】
【００１３】
第９の本発明（請求項９に対応）は、ＥＬ素子がマトリックス状に形成された表示領域と、前記ＥＬ素子に流す電流を供給する駆動用トランジスタと、前記駆動用トランジスタ素子にプログラム電圧またはプログラム電流を印加するソースドライバ回路と、前記ソースドライバ回路と前記駆動用トランジスタの信号経路に配置された第１のスイッチング素子と、前記ＥＬ素子の電流経路に配置された第２のスイッチング素子を具備し、
前記第１のスイッチング素子は所定期間に一回クローズ状態にされ、前記第２のスイッチング素子は、前記所定期間に複数回クローズ状態にされることを特徴とするＥＬ表示装置の駆動方法である。
【手続補正１２】
【補正対象書類名】明細書
【補正対象項目名】００１４
【補正方法】変更
【補正の内容】
【００１４】
第１０の本発明（請求項１０に対応）は、ＥＬ素子がマトリックス状に形成された表示領域と、前記ＥＬ素子に流す電流を供給する駆動用トランジスタと、前記駆動用トランジスタ素子にプログラム電圧またはプログラム電流を印加するソースドライバ回路と、前記ソースドライバ回路と前記駆動用トランジスタの信号経路に配置された第１のスイッチング素子と、前記ＥＬ素子の電流経路に配置された第２のスイッチング素子を具備し、
前記第１のスイッチング素子は所定期間に一回クローズ状態にされ、前記第２のスイッチング素子は、前記所定期間に２水平走査期間以上連続してオープン状態にされることを特徴とするＥＬ表示装置の駆動方法である。
【手続補正１３】
【補正対象書類名】明細書
【補正対象項目名】０１２８
【補正方法】変更
【補正の内容】
【０１２８】
また、トランジスタはＬＤＤ（ｌｉｇｈｔｌｙ  ｄｏｐｅｄ  ｄｒａｉｎ）構造を採用することが好ましい。なお、トランジスタとは、ＦＥＴなどスイッチングなどのトランジスタ動作をするすべての素子一般を意味する。また、ＥＬ膜の構成、パネル構造などは単純マトリックス型表示パネルにも適用できることは言うまでもない。また、本明細書ではＥＬ素子として有機ＥＬ素子（ＯＥＬ、ＰＥＬ、ＰＬＥＤ、ＯＬＥＤなど多種多様な略称で記述される）１５を例にあげて説明するがこれに限定するものではなく、無機ＥＬ素子にも適用されることは言うまでもない。
【手続補正１４】
【補正対象書類名】明細書
【補正対象項目名】０１２９
【補正方法】変更
【補正の内容】
【０１２９】
まず、有機ＥＬ表示パネルに用いられるアクティブマトリックス方式は、１、特定の画素を選択し、必要な表示情報を与えられること。２、１フレーム期間を通じてＥＬ素子に電流を流すことができることという２つの条件を満足させなければならない。
【手続補正１５】
【補正対象書類名】明細書
【補正対象項目名】０１６８
【補正方法】変更
【補正の内容】
【０１６８】
また、蓄積容量１９の容量値をＣｓ（ｐＦ）、第２のトランジスタ１１ｂのオフ電流値をＩｏｆｆ（ｐＡ）とした場合、次式を満足させることが好ましい。
【手続補正１６】
【補正対象書類名】明細書
【補正対象項目名】０２７７
【補正方法】変更
【補正の内容】
【０２７７】
本発明は、画素への書き込み電流を所定値以外の値にし、ＥＬ素子１５に流れる電流を間欠状態にして駆動することに特徴がある。本明細書では説明を容易にするため、Ｎ倍の電流値を画素のトランジスタ１１に書き込み、ＥＬ素子１５のオン時間を１／Ｎ倍にするとして説明する。しかし、これに限定するものではなく、Ｎ１倍の電流値を画素のトランジスタ１１に書き込み、ＥＬ素子１５のオン時間を１／Ｎ２倍（Ｎ１とＮ２とは異なる）でもよいことは言うまでもない。なお、間欠する間隔は等間隔に限定するものではない。たとえば、ランダムでもよい（全体として、表示期間もしくは非表示期間が所定値（一定割合）となればよい）。また、ＲＧＢで異なっていてもよい。つまり、白（ホワイト）バランスが最適になるように、Ｒ、Ｇ、Ｂ表示期間もしくは非表示期間が所定値（一定割合）となるように調整（設定）すればよいまた、説明を容易にするため、１Ｆ（１フィールドまたは１フレーム）を基準にし、この１Ｆにおいて表示期間を１／Ｎにするとして説明する。しかし、１画素行が選択され、電流値がプログラムされる時間（通常、１水平走査期間（１Ｈ））があるし、また、走査状態によっては誤差も生じる。したがって、以上の説明はあくまでも説明を容易にするための便宜状の問題だけであり、これに限定するものではない。
【手続補正１７】
【補正対象書類名】明細書
【補正対象項目名】０２８０
【補正方法】変更
【補正の内容】
【０２８０】
液晶表示パネルの場合は、光変調をする画像データ（電圧）は液晶層に保持される。したがって、黒挿入表示を実施しようとすると液晶層に印加しているデータを書き換える必要がある。そのため、ソースドライバＩＣ１４の動作クロックを高くし、画像データと黒表示データを交互にソース信号線１８に印加する必要がある。したがって、黒挿入（黒表示などの間欠表示）を実現しようとすると回路のメインクロックをあげる必要がある。また、時間軸伸張を実施するための画像メモリも必要になる。
【手続補正１８】
【補正対象書類名】明細書
【補正対象項目名】０３０１
【補正方法】変更
【補正の内容】
【０３０１】
図１３（ａ）は表示画像５０への書き込み状態を図示している。図１３（ａ）において、５１ａは書き込み画素行である。ソースドライバＩＣ１４から各ソース信号線１８にプログラム電流が供給される。なお、図１３などでは１Ｈ期間に書き込む画素行は１行である。しかし、何ら１Ｈに限定するものではなく、０．５Ｈ期間でも、２Ｈ期間でもよい。また、ソース信号線１８にプログラム電流を書き込むとしたが、本発明は電流プログラム方式に限定するものではなく、ソース信号線１８に書き込まれるのは電圧である電圧プログラム方式でもよい。
【手続補正１９】
【補正対象書類名】明細書
【補正対象項目名】０３０３
【補正方法】変更
【補正の内容】
【０３０３】
今、Ｎ（ここでは、先に述べたようにＮ＝１０とする）倍の電流でプログラムしたとすれば、画面の輝度は１０倍になる。したがって、表示領域５０の９０％の範囲を非点灯領域５２とすればよい。したがって、画像表示領域の水平走査線がＱＣＩＦの２２０本（Ｓ＝２２０）とすれば、２２本を表示領域５３とし、２２０−２２＝１９８本を非表示領域５２とすればよい。一般的に述べれば、水平走査線（画素行数）をＳとすれば、Ｓ／Ｎの領域を表示領域５３とし、この表示領域５３をＮ倍の輝度で発光させる。そして、この表示領域５３を画面の上下方向に走査する。したがって、Ｓ（Ｎ−１）／Ｎの領域は非点灯領域５２とする。この非点灯領域は黒表示（非発光）である。また、この非発光部５２はトランジスタ１１ｄをオフさせることにより実現する。なお、Ｎ倍の輝度で点灯させるとしたが、当然のことながら明るさ調整、ガンマ調整によりＮ倍の値に調整することは言うまでもない。
【手続補正２０】
【補正対象書類名】明細書
【補正対象項目名】０３８７
【補正方法】変更
【補正の内容】
【０３８７】
なお、黒画面の分割数は静止画と動画で変更できるように構成することが好ましい。分割数とは、Ｎ＝４では、７５％が黒画面（非表示状態）であり、２５％が画像表示（表示状態）である。このとき、７５％の黒表示部を７５％の黒帯状態で画面の上下方向に走査するのが分割数１である。７５／３＝２５％の黒画面と２５／３％の表示画面の３ブロックで走査するのが分割数３である。静止画は分割数を多くする。動画は分割数を少なくする。切り替えは入力画像に応じて自動的（動画検出など）に行っても良く、ユーザーが手動で行ってもよい。また、表示装置の映像などの入力コンテンツに対応して切り替えできるように構成すればよい。
【手続補正２１】
【補正対象書類名】明細書
【補正対象項目名】０３９８
【補正方法】変更
【補正の内容】
【０３９８】
図１の画素構成でリセット駆動を実現するためには、トランジスタ１１ｂとトランジスタ１１ｃを独立してオンオフ制御できるように構成する必要がある。つまり、図３２で図示するようにトランジスタ１１ｂをオンオフ制御するゲート信号線１７ａ（ゲート信号線ＷＲ）と、トランジスタ１１ｃをオンオフ制御するゲート信号線１７ｃ（ゲート信号線ＥＬ）を独立して制御できるようにする。ゲート信号線１７ａとゲート信号線１７ｃの制御は図６に図示するように独立した２つのシフトレジスタ６１で行えばよい。
【手続補正２２】
【補正対象書類名】明細書
【補正対象項目名】０４６１
【補正方法】変更
【補正の内容】
【０４６１】
逆に、図１のスイッチングトランジスタ１１ｂ、１１ｃをＰチャンネルにすることのより突き抜け電圧を発生させて、より黒表示を良好にする方法も有効である。Ｐチャンネルトランジスタ１１ｂがオフするときにはＶｇｈ電圧となる。そのため、コンデンサ１９の端子電圧がＶｄｄ側に少しシフトする。そのため、トランジスタ１１ａのゲート（Ｇ）端子電圧は上昇し、より黒表示となる。また、第１階調表示とする電流値を大きくすることができるから（階調１までに一定のベース電流を流すことができる）、電流プログラム方式で書き込み電流不足を軽減できる。
【手続補正２３】
【補正対象書類名】明細書
【補正対象項目名】０４６８
【補正方法】変更
【補正の内容】
【０４６８】
また、電荷保持用のコンデンサ１９ａの容量をＣａ（ｐＦ）とし、スイッチング用のトランジスタ１１ｃまたは１１ｄ）のソース−ゲート容量Ｃｃ（ｐＦ）（突き抜け用のコンデンサがある場合には、その容量を加えた値）とし、ゲート信号線に印加される高電圧信号（Ｖｇｈ）（Ｖ）とし、ゲート信号線に印加される低電圧信号（Ｖｇｌ）（Ｖ）とした時、以下の条件を満足するように構成することにより、良好な黒表示を実現できる。
【手続補正２４】
【補正対象書類名】明細書
【補正対象項目名】０５４９
【補正方法】変更
【補正の内容】
【０５４９】
本発明のソースドライバ回路１４のように、第１段のカレントミラー回路（電流源６３１）の電流を第２段のカレントミラー回路（電流源６３２）にコピーし、第２段のカレントミラー回路（電流源６３２）の電流を第３段にカレントミラー回路（電流源６３２）にコピーする構成である。この構成では、第１段のカレントミラー回路（電流源６３１）に接続される第２段のカレントミラー回路（電流源６３２）の個数は少ない。したがって、第１段のカレントミラー回路（電流源６３１）と第２段のカレントミラー回路（電流源６３２）とを密接して配置することができる。
【手続補正２５】
【補正対象書類名】明細書
【補正対象項目名】０５５０
【補正方法】変更
【補正の内容】
【０５５０】
密接してカレントミラー回路を構成するトランジスタを配置できれば、当然のことながら、トランジスタのばらつきは少なくなるから、コピーされる電流値のバラツキも少なくなる。また、第２段のカレントミラー回路（電流源６３２）に接続される第３段のカレントミラー回路（電流源６３３）の個数も少なくなる。したがって、第２段のカレントミラー回路（電流源６３２）と第３段のカレントミラー回路（電流源６３３）とを密接して配置することができる。
【手続補正２６】
【補正対象書類名】明細書
【補正対象項目名】０５９１
【補正方法】変更
【補正の内容】
【０５９１】
トランジスタのＶｔバラツキ（特性バラツキ）は、１ウェハ内で１００ｍＶ程度のばらつきがある。しかし、１００μ以内に近接して形成されたトランジスタのＶｔバラツキは、少なくとも、１０ｍＶ以下である（実測）。つまり、トランジスタを近接して形成し、カレントミラー回路を構成することにより、カレントミラー回路の出力電流バラツキを減少させることができる。したがって、本発明のソースドライバＩＣの各端子の出力電流バラツキを少なくすることができる。
【手続補正２７】
【補正対象書類名】明細書
【補正対象項目名】０６３１
【補正方法】変更
【補正の内容】
【０６３１】
また、印加する画像データに応じてプリチャージ電圧を変化かえることも有効である。黒表示の書き込み電流は微小であり、白表示の書き込み電流は大きいからである。したがって、低階調領域になるにしたがって、プリチャージ電圧を高く（Ｖｄｄに対する。ただし、なお、画素ＴＦＴ１１ａがＰチャンネルの時である）し、高階調領域になるにしたがって、プリチャージ電圧を低く（画素ＴＦＴ１１ａがＰチャンネルの時である）する。
【手続補正２８】
【補正対象書類名】明細書
【補正対象項目名】０７１９
【補正方法】変更
【補正の内容】
【０７１９】
この課題に解決するため、図８９に図示するように、ソース端子７６１との出力端にスイッチ６４１ａを形成する。また、嵩上げ電流出力回路７０４ｃの出力段にスイッチ６４１ｂを形成または配置する。